(57)【要約】【課題】移動板としてのスライダ部材を垂直方向または水平方向に移動させてスライダ部材によってコンタクトが内側に押されて固定板を軸にコンタクトの先端部が外側に開かれて、常に安定したコンタクトの開放を維持でき、操作性に優れる。【解決手段】上下動可能なカバー部材と、装着されたＩＣパッケージと電気的接続を形成する複数個の挟み込み形のコンタクトと、該コンタクトが固設されるソケット本体と、間隔を置いて前記コンタクトを保持する格子状の固定板とを有するＩＣソケットにおいて、前記コンタクトを開閉するために前記固定板に対して上下方向に移動するように協働するスライダ部材を有する。【選択図】　　　　図１
2004103377.tif 000002
【特許請求の範囲】
【請求項１】
上下動可能なカバー部材と、装着されたＩＣパッケージと電気的接続を形成する複数個の挟み込み形のコンタクトと、該コンタクトが固設されるソケット本体と、間隔を置いて前記コンタクトを保持する格子状の固定板とを有するＩＣソケットにおいて、
前記コンタクトを開閉するために前記固定板に対して上下方向に移動するように協働するスライダ部材を有することを特徴とするＩＣソケット。
【請求項２】
前記コンタクトは、一対の弾性接片を有し、該弾性接片の間に前記固定板の格子状の仕切壁が配設されたことを特徴とする請求項１記載のＩＣソケット。
【請求項３】
前記カバー部材の上下動により前記スライダ部材が作動されて前記コンタクトが開閉されることを特徴とする請求項２記載のＩＣソケット。
【請求項４】
前記仕切壁に対して前記スライダ部材の上下方向の作動によって前記一対の弾性接片が開閉されるように形成されることを特徴とする請求項３記載のＩＣソケット。
【請求項５】
前記スライダ部材は、格子状に形成された作動部を有し、該作動部が前記コンタクトの先端部の折曲部を押圧して先端部を開くように作用されることを特徴とする請求項４記載のＩＣソケット。
【請求項６】
上下動可能なカバー部材と、装着されたＩＣパッケージと電気的接続を形成する複数個の挟み込み形のコンタクトと、該コンタクトが固設されるソケット本体と、間隔を置いて前記コンタクトを保持する格子状の固定板とを有するＩＣソケットにおいて、
前記コンタクトを開閉するために前記固定板に対して水平方向に移動するように協働するスライダ部材を有することを特徴とするＩＣソケット。
【請求項７】
前記コンタクトは、一対の弾性接片を有し、該弾性接片の間に前記固定板の格子状の仕切壁が配設され、前記コンタクトの一方の弾性接片が前記スライダ部材の作動部によって横方向に押され、他方の弾性接片が前記スライダ部材の隣接の作動部によって押されて前記固定板の仕切壁を支点として作動されることによって両弾性接片が開閉されることを特徴とする請求項６記載のＩＣソケット。
【請求項８】
前記一対の弾性接片の先端部間に前記固定板の格子状の仕切壁が挟み込まれて配置され、前記仕切壁に対して前記スライダ部材の水平方向の作動によって前記一対の弾性接片が開閉されるように形成されることを特徴とする請求項７記載のＩＣソケット。
【発明の詳細な説明】
【０００１】
【発明の属する技術分野】
本発明は、ソケット本体のコンタクトと電子部品等のパッケージであるＩＣパッケージの外部接点との開閉を行う電子部品用ソケットに関するものである。特に、本発明は、コンタクトの弾性接片がＩＣパッケージの外部接点を挟み込んで接続するように適用されるＩＣソケットに係わるものである。
【０００２】
【従来の技術】
従来、電子部品としてのＩＣパッケージ等は、ＩＣソケットのソケット本体に装着し、格子状に形成された固定板を横方向に移動して、挟み込みコンタクトを開閉してＩＣパッケージと接続するようにしたＩＣソケットが知られている（例えば、特許文献１参照）。
【０００３】
従来におけるこのようなＩＣソケットにおいては、挟み込みコンタクトが、固定側の弾性接片と可動側の弾性接片とをほぼ平行に延びるように配置して成っている。このような固定側の弾性接片に対して可動側の弾性接片が固定板によって移動されて開閉されるように形成されており、コンタクトによってＩＣパッケージの外部接点を挟み込んで接続するように構成されている。
【０００４】
このような従来のＩＣソケットの一例が図９および図１０に示されている。図９には、移動板が横方向に移動されてコンタクトが開かれたオープン状態のオープン・トップ・タイプのＩＣソケットが示され、図１０には、移動板が元の位置に戻されてコンタクトがフリー状態または閉合状態のＩＣソケットが示されている。
【０００５】
図９および図１０に示されるように、従来のオープン・トップ・タイプのＩＣソケット１００は、固定のソケット本体１０２と、このソケット本体１０２に対して上下動可能にばね部材等によって弾性支持された操作部材としてのカバー部材（図示しない）とを有している。さらに、ＩＣソケット１００は、ソケット本体１０２に固設され、装着されたＩＣパッケージ１１０の半田ボール等の外部端子１１１と電気的接続を形成する複数個の挟み込み形のコンタクト１０４と、これらコンタクト１０４を開閉する格子状の仕切壁１１２が設けられた移動板１０５とを有している。このようなコンタクト１０４を開閉するために、カバー部材に適宜なカム部材を設けて、カバー部材の押圧によってカム部材を介して移動板１０５を横方向に水平に移動するように設けられている。また、コンタクト１０４は、固定側の弾性接片１０６と、可動側の弾性接片１０８とから形成された片開きタイプのコンタクトである。
【０００６】
【特許文献１】
特許第３２５７９９４号公報（第３頁、第１６図）
【０００７】
【発明が解決しようとする課題】
しかしながら、このような従来のＩＣソケット１００において、カム部材を有するタイプのＩＣソケット１００は、カム部材だけで移動板１０５を移動させるように構成されている。このために、コンタクト１０４の一方の可動側の弾性接片１０８のみが開閉作動されて固定側の弾性接片１０６が固定された状態に維持される。この結果、常に安定したコンタクト１０４の開放量を維持できて、コンタクト開放量を決め易い。しかしながら、このようなＩＣソケット１００においては、固定側の弾性接片１０６がＩＣパッケージ１１０の外部端子１１１と発生した熱によって溶着して分離し難い。さらにまた、コンタクト１０４の数が多くなるにつれて、カバー部材がスタックする可能性が大きくなる。従って、このようなスタック現象を回避するためには、カバー部材を戻すためのコイルばねのばね力を大きく設定する必要がある。その結果、従来の技術では、カバー部材に対する操作力が大きくなる等の問題が見られるし、さらに、カム部材の出来上がりがロットによりばらつき易い等の問題が見られる。
【０００８】
従って、本発明の目的は、このような従来における問題を解決するために、格子状の固定板と協働する移動板としてのスライダ部材を垂直方向に移動させて、スライダ部材によってコンタクトが内側に押されて固定板を軸にコンタクトの先端部が外側に開かれて、常に安定したコンタクトの開放を維持でき、操作性に優れたＩＣソケットを提供することにある。
【０００９】
さらに、本発明の別の目的は、格子状の固定板と協働する移動板としてのスライダ部材を水平方向に移動させて、スライダ部材に押されて一方のコンタクトが開かれると共に、固定板を軸に他方のコンタクトが開かれ、安定したコンタクトの開閉を得て、操作性に優れたＩＣソケットを提供することにある。
【００１０】
【課題を解決するための手段】
上述の目的を達成するために、本発明のＩＣソケットは、上下動可能なカバー部材と、装着されたＩＣパッケージと電気的接続を形成する複数個の挟み込み形のコンタクトと、該コンタクトが固設されるソケット本体と、間隔を置いて前記コンタクトを保持する格子状の固定板とを有するＩＣソケットにおいて、前記コンタクトを開閉するために前記固定板に対して上下方向に移動するように協働するスライダ部材を有することを特徴とする。
【００１１】
また、本発明のＩＣソケットは、前記コンタクトが、一対の弾性接片を有し、該弾性接片の間に前記固定板の格子状の仕切壁が配設されたことを特徴とする。
【００１２】
さらに、本発明のＩＣソケットは、前記カバー部材の上下動により前記スライダ部材が作動されて前記コンタクトが開閉されることを特徴とする。
【００１３】
さらにまた、本発明のＩＣソケットは、前記仕切壁に対して前記スライダ部材の上下方向の作動によって前記一対の弾性接片が開閉されるように形成されることを特徴とする。
【００１４】
本発明のＩＣソケットは、前記スライダ部材が、格子状に形成された作動部を有し、該作動部が前記コンタクトの先端部の折曲部を押圧して先端部を開くように作用されることを特徴とする。
【００１５】
また、本発明のＩＣソケットは、上下動可能なカバー部材と、装着されたＩＣパッケージと電気的接続を形成する複数個の挟み込み形のコンタクトと、該コンタクトが固設されるソケット本体と、間隔を置いて前記コンタクトを保持する格子状の固定板とを有するＩＣソケットにおいて、前記コンタクトを開閉するために前記固定板に対して水平方向に移動するように協働するスライダ部材を有することを特徴とする。
【００１６】
さらに、本発明のＩＣソケットは、前記コンタクトが、一対の弾性接片を有し、該弾性接片の間に前記固定板の格子状の仕切壁が配設され、前記コンタクトの一方の弾性接片が前記スライダ部材の作動部によって横方向に押され、他方の弾性接片が前記スライダ部材の隣接の作動部によって押されて、前記固定板の仕切壁を支点として作動されることによって両弾性接片が開閉されることを特徴とする。
【００１７】
さらにまた、本発明のＩＣソケットは、前記一対の弾性接片の先端部間に前記固定板の格子状の仕切壁が挟み込まれて配置され、前記仕切壁に対して前記スライダ部材の水平方向の作動によって前記一対の弾性接片が開閉されるように形成されることを特徴とする。
【００１８】
本発明のその他の目的や特徴および利点は、添付図面に示される本発明のＩＣソケットの実施形態についての以下の詳細な説明から明らかである。
【００１９】
【発明の実施の形態】
（実施例１）
図１乃至図４は、本発明の電子部品用ソケットとしての、例えばＩＣソケットの実施例１を示す概要説明図で、図１は、ソケットフリー状態または閉合状態の時のコンタクト部分の断面部分図、図２は、ソケットオープン状態の時の図１におけるコンタクト部分の断面部分図で、図３は、図１のソケットフリー状態の時の本発明のＩＣソケットにおける断面概要図で、コンタクト部分を省略して示す図、図４は、図２のソケットオープン状態の時の本発明のＩＣソケットにおける断面概要図で、コンタクト部分を省略して示す図である。
【００２０】
図１乃至図４に示されるように、本発明の実施例１における電子部品用ソケットとしてのＩＣソケット１は、電子部品としてのＩＣパッケージ１０を装着して電気的接続を形成する挟み込み形のコンタクト４を開閉すべく垂直方向に移動可能なスライダ部材６を有するタイプのＩＣソケットである。
【００２１】
このような本発明のＩＣソケット１は、固定のソケット本体２と、このソケット本体２に対して上下動可能に設けられていて、１つまたは複数個のコイルばねのようなばね部材１４によって弾性的に支持された操作部材としてのカバー部材３とを有している。さらに、ＩＣソケット１は、ソケット本体２に基端部において固設され、かつ装着されたＩＣパッケージ１０の外部端子１１と電気的接続を形成する複数個の挟み込み形のコンタクト４と、ソケット本体２内に配置されたコンタクト４を開閉するために格子状または櫛歯状の仕切壁１２が形成された固定板５と、固定板５に対して垂直方向に上下動するためのスライダ部材６とを有している。
【００２２】
このような本発明のＩＣソケット１において、ソケット本体２は箱形または容器形をなしている。このような箱形または容器形のソケット本体２の底部に、複数個の挟み込み形のコンタクト４がその基端部において固設されている。これらコンタクト４は、装着されたＩＣパッケージ１０の球状または半球状の半田ボール等の外部端子１１を挟み込んで電気的接続を形成するように構成されている。
【００２３】
また、ソケット本体２の上部には、１つ、または複数個のコイルばね等のばね部材１４によってカバー部材３が上下動可能に弾性支持されている。このカバー部材３の上下動に対応して上下動可能にスライダ部材６が設けられている。この上下動されるスライダ部材６によって、格子状または櫛歯状の仕切壁１２を有する固定板５に対してコンタクト４が左右に開閉されるように連動されている。従って、固定板５に対するスライダ部材６の上下方向の移動によってコンタクト４が開閉されるようになっている。
【００２４】
このような本発明のＩＣソケット１において、コンタクト４は、一対の弾性接片７、８から成っている。これら弾性接片７、８は、ほぼ平行に延びるように下方の基端部において一体的に形成されていて、ソケット本体２の底部に取付けられて固着されている。さらに、コンタクト４は、この固定された基端部から上方に向って弾性接片７、８が片持ち梁状にほぼ平行に延びていて、弾性接片７と弾性接片８との間に固定板５の格子状または櫛歯状の仕切壁１２が位置するように配設されている。従って、コンタクト４は、固定板５の仕切壁１２によって弾性接片７、８が隔絶されている両開きタイプのコンタクトである。
【００２５】
さらにまた、隣接するコンタクト４の組の間に、スライダ部材６の格子状または櫛歯状の作動部１５がコンタクト４の各弾性接片７、８の折曲部９、１３に当接するように配置されている。このため、スライダ部材６の上下方向の作動によって作動部１５が各弾性接片７、８の折曲部９、１３を押圧することによってコンタクト４の先端部が両側に向って開かれるように形成されている。また、スライダ部材６は、ソケット本体２に対して複数個のばね部材１６によって上下動可能に弾性支持されている。
【００２６】
すなわち、このように構成された本発明のＩＣソケット１において、コンタクト４は、一対の弾性接片７、８から形成されていて、これら弾性接片７、８が可動のコンタクト部材として先端部が左右の方向に開閉できるように形成されている。このために、各弾性接片７、８は、先端部付近においてほぼ「く」の字形に折り曲げられていて折曲部９、１３が設けられている。従って、弾性接片７、８のこれら折曲部９、１３がスライダ部材６の作動部１５によって押される時に、固定板５の仕切壁１２を支点として各弾性接片７、８の先端部が左右に開かれるように作動される。
【００２７】
従って、図１において、スライダ部材６が下方に押される時に、スライダ部材６が図２に示されるように下方に移動するので、この時にスライダ部材６の作動部１５がコンタクト４の弾性接片７、８の折曲部９、１３をそれぞれ押圧する。従って、この押圧によって、コンタクト４の弾性接片７、８の先端部は、固定板５の仕切壁１２との接触する端部を支点として外方へと開く方向に作動される。すなわち、コンタクト４の弾性接片８の折曲部１３がスライダ部材６の作動部１５によって押されて、弾性接片８の折曲部１３が弾性接片７の方へと内方に押される。これによって、弾性接片８の先端部が固定板５の仕切壁１２との当接部分を支点として外方へと開く方向に変位される。
【００２８】
同時に、この作動部１５の反対側の隣接するコンタクト４の対応する弾性接片７においても同様な作用が見られる。すなわち、弾性接片７の折曲部９がこの作動部１５によって押されて、弾性接片７の折曲部９が弾性接片８の方へと内方に向って押される。これによって、弾性接片７の先端部が固定板５の仕切壁１２との当接部分を支点として外方へと開く方向に変位される。このために、コンタクト４の先端部が、ＩＣパッケージ１０の外部端子１１に対してオープン状態に開かれるようになる。この状態が図２に示されるオープン状態である。
【００２９】
このように、コンタクト４の弾性接片７、８は、固定板５の仕切壁１２を間に挟んで配置されている。従って、スライダ部材６が下方に押し下げられる時に、弾性接片７、８の外側において「く」の字形に折曲されている折曲部９、１３に接触している作動部１５が下方に移動される。このために、折曲部９、１３がそれぞれ内側に向って変位されるように作用されるので、この折曲部９、１３の変位によってコンタクト４の弾性接片７、８の先端部が固定板５の仕切壁１２の両側の端部を支点として上端部が開く方向に変位する。これによって弾性接片７、８の先端部が互いに離れる方向に動かされて、コンタクト４が開かれるようになり、図２のオープン状態となる。
【００３０】
また、このオープン状態において、スライダ部材６の押し下げを停止するようにカバー部材３の押し下げを停止してカバー部材３を自由にすると、カバー部材３はばね部材１４によって押上げられ、スライダ部材６も自由になってばね部材１６によって押上げられる。この結果、図２においてコンタクト４の弾性接片７、８を押圧しているスライダ部材６の作動部１５が弾性接片７、８の折曲部９、１３から離れて弾性接片７、８を自由にする。従って、各弾性接片７、８はそれぞれ弾性力によって元のフリー状態に戻ろうとして、先端部が内方に変位するようになって図１のフリー状態に戻るようになる。
【００３１】
従って、上記のように構成された本発明のＩＣソケット１においては、カバー部材３の押し下げによって、スライダ部材６の作動部１５によってコンタクト４の開閉操作が容易にできる。しかも、コンタクト４の先端部が良好にＩＣパッケージ１０の外部端子１１と接触でき、かつオープン時のスライダ部材６の作動部１５によるコンタクト４の開閉を良好に行って、ＩＣパッケージ１０の取り出しや挿入を容易にすることができる。さらに、ＩＣパッケージ１０の挿入位置と抜去位置とが同一位置になってＩＣパッケージ挿入機器側の対応が容易になり、ＩＣパッケージの挿入性が上昇されて実装作業の効率を向上し、かつ改善して、ＩＣソケット１の寿命を延ばすことが出来る。
【００３２】
また、本発明のこのＩＣソケット１においては、スライダ部材６の上下動によってコンタクト４の両方の弾性接片７、８を開閉するために、開いた際にかかる応力を減少でき、かつ常に安定したコンタクトの確実な開閉を維持でき、操作性に優れ、多くのコンタクトに対応できる。また、使用されるＩＣパッケージ１０には、ボール・グリッド・アレイタイプのＩＣパッケージを好適に用いることができる。
【００３３】
（実施例２）
図５乃至図８は、本発明の電子部品用ソケットとしてのＩＣソケットの実施例２を示す概要説明図で、図５は、ソケットフリー状態または閉合状態の時のコンタクト部分の断面部分図、図６は、ソケットオープン状態の時の図５におけるコンタクト部分の断面部分図で、図７は、図５のソケットフリー状態の時の本発明のＩＣソケットにおける断面概要図、図８は、図６のソケットオープン状態の時の本発明のＩＣソケットにおける断面概要図である。
【００３４】
図５乃至図８に示されるように、本発明の実施例２における電子部品用ソケットとしてのＩＣソケットも、先の実施例１と同様な挟み込み形のコンタクトを有するタイプのＩＣソケットである。しかしながら、この実施例２においては、コンタクトを開閉するスライダ部材の作動方向が水平横方向であることが上記の実施例１と異なっている。
【００３５】
このような本発明の実施例２のＩＣソケット２０は、固定のソケット本体２２と、このソケット本体２２に対して上下動可能に設けられていて、１つまたは複数個のコイルばねのようなばね部材３４によって弾性的に支持された操作部材としてのカバー部材２３とを有している。さらに、ＩＣソケット２０は、カム部材２９を有した操作部材としてのカバー部材２３に加えて、ソケット本体２２に基端部において固設され、装着されたＩＣパッケージ４０の外部端子４１と電気的接続を形成する複数個の挟み込み形のコンタクト２４を有している。また、ＩＣソケット２０は、ソケット本体２２内に配置されたコンタクト２４を開閉するために格子状または櫛歯状の仕切壁３２が形成された固定板２５と、固定板２５に対して水平横方向に往復移動するためのスライダ部材２６とを有している。
【００３６】
このような本発明のＩＣソケット２０において、ソケット本体２２は箱形または容器形をなしている。この箱形または容器形ののソケット本体２２の底部に、挟み込み形のコンタクト２４がその基端部において固設されている。これらコンタクト２４は、装着されたＩＣパッケージ４０の球状または半球状の半田ボール等の外部端子４１を挟み込んで電気的接続を形成するように構成されている。
【００３７】
また、ソケット本体２２の上部には、１つまたは複数個のコイルばね等のばね部材３４によってカバー部材２３が上下動可能に弾性支持されている。さらに、このカバー部材２３の上下動に対応してカム部材２９によって水平方向に往復移動されるスライダ部材２６によって、格子状または櫛歯状の仕切壁３２を有する固定板２５に対してコンタクト２４の先端部が左右に開閉されるように連動されている。従って、固定板２５に対するスライダ部材２６の水平方向の移動によってコンタクト２４が開閉されるようになっている。
【００３８】
このような本発明のＩＣソケット２０において、コンタクト２４は、一対の弾性接片２７、２８から成っている。コンタクト２４のこれら弾性接片２７、２８は、ほぼ平行に延びるように下方の基端部において一体的に形成されており、さらに、ソケット本体２２の底部に取付けられて固着されている。また、コンタクト２４は、この固定された基端部から上方に向ってこれら弾性接片２７、２８が片持ち梁状にほぼ平行に延びている。従って、弾性接片２７と弾性接片２８との間に固定板２５の格子状または櫛歯状の仕切壁３２が位置するように配設されていて、弾性接片７、８が隔絶されている。また、各コンタクト４の弾性接片２７、２８は、先端部において内側に僅かに折曲されていて、ほぼ逆「く」の字形や「く」の字形に折曲部３７、３８が形成されている。コンタクト２４の弾性接片２７、２８は、これら折曲部３７、３８において内側に絞られた形状に作られている。
【００３９】
さらにまた、これらコンタクト２４の弾性接片２７、２８の間には、スライダ部材２６の格子状または櫛歯状の作動部３０、３１がコンタクト２４の各弾性接片２７、２８の折曲部３７、３８に当接するように配置されている。この結果、スライダ部材２６の水平方向の作動によって、作動部３０、３１が各弾性接片２７、２８の折曲部３７、３８を押圧することによってコンタクト２４の先端部が開かれるように形成されている。また、スライダ部材２６は、ソケット本体２２に対して複数個のばね部材１６によって上下動可能に弾性支持されている。
【００４０】
すなわち、このように構成された本発明のＩＣソケット２０において、コンタクト２４は、一対の弾性接片２７、２８から形成されている。コンタクト２４のこれら弾性接片２７、２８は、可動のコンタクト部材として先端部が左右の方向に開閉できるように形成されており、各弾性接片２７、２８が先端部付近においてほぼ「く」の字形に折り曲げられていて折曲部３７、３８が設けられている。コンタクト２４は、これら折曲部３７、３８がスライダ部材２６の作動部３０、３１によって押される時に、固定板２５の仕切壁３２を支点として各弾性接片２７、２８の先端部が左右に開かれるように作動される両開きタイプのコンタクトである。
【００４１】
従って、図５において、スライダ部材２６が水平方向に、図示で左方に押される時に、スライダ部材２６が図６に示されるように水平方向に移動する。この時に、スライダ部材２６の作動部３０がコンタクト２４の弾性接片２７の折曲部３７を押圧すると共に、作動部３１がコンタクト２４の弾性接片２８の折曲部３８を押す。これによって、コンタクト２４の弾性接片２７の先端部が、ＩＣパッケージ４０の外部端子４１から離される方向に押されて開かれると同時に、弾性接片２８の先端部は、折曲部３８が押されて固定板２５の仕切壁３２と接触する端部を支点として外方へと開く方向に作動される。すなわち、コンタクト２４の弾性接片２７は、開放方向に押されて開かれ、他方、弾性接片２８の折曲部３８はスライダ部材２６の作動部３１によって押されて弾性接片２８の先端部が固定板２５の仕切壁３２に当接された部分を支点として、さらに先端部が外方向に動かされる。このために、弾性接片２８の先端部が固定板２５の仕切壁３２との当接部分を支点として外方へと開く方向に変位される。
【００４２】
このように、本発明のＩＣソケット２０のコンタクト２４の対応する弾性接片２７、２８において、一方の弾性接片２７の折曲部３７がスライダ部材２６の作動部３０によって押されて弾性接片２７の先端部開かれる。これと同時に、他方の弾性接片２８の先端部の折曲部３８がスライダ部材２６の作動部３５によって押されて弾性接片２７の方へと内方に向って押される。このために、弾性接片２８の先端部が固定板２５の仕切壁３２との当接部分を支点として外方へと開く方向に変位されるので、コンタクト４４の先端部がＩＣパッケージ４０の外部端子４１に対してオープン状態に開かれるようになる。この状態が図６に示されるオープン状態である。
【００４３】
このように、コンタクト２４の弾性接片２７、２８は、固定板２５の仕切壁３２を間に挟んで配置されている。従って、スライダ部材２６が水平方向に押される時に、弾性接片２７が作動部３５によって直接に押されて開かれ、弾性接片２８の外側において「く」の字形に折曲されている折曲部３８に接触している作動部３１によって押される。このために、折曲部３８の変位によってコンタクト２４の弾性接片２８の先端部が、固定板２５の仕切壁３２の端部を支点として上端部が開く方向に変位される。これによって弾性接片２７、２８の先端部が互いに離れる方向に動かされて、コンタクト２４が開かれるようになり、図６のオープン状態となる。
【００４４】
また、このオープン状態において、スライダ部材２６の水平方向への押圧を停止して自由にすると、スライダ部材２６はばね部材３６によって押されて、図７においてコンタクト２４の弾性接片２７、２８を押圧しているスライダ部材２６の作動部３０、３１が弾性接片２７、２８の折曲部３７、３８から離れて弾性接片２７、２８を自由にする。従って、各弾性接片２７、２８はそれぞれ弾性力によって元のフリー状態に戻ろうとして先端部が内方に変位するようになって図５のフリー状態に戻るようになる。
【００４５】
従って、上記のように構成された本発明のＩＣソケット２０においては、カバー部材２３の押し下げによって、カム部材２９を介してスライダ部材２６の作動部３０、３１によってコンタクト２４の開閉操作が容易にできる。しかも、コンタクト２４の先端部が良好にＩＣパッケージ４０の外部端子４１と接触でき、かつオープン時のスライダ部材２６の作動部３０、３１によるコンタクト２４の開閉を良好に行って、ＩＣパッケージ４０の取り出しや挿入を容易にすることができる。しかも、ＩＣパッケージ４０の挿入位置と抜去位置とが同一位置となるので、ＩＣパッケージ挿入機器側の対応が容易になり、ＩＣパッケージの挿入性が上昇されて実装作業の効率を向上し、かつ改善して、ＩＣソケット２０の寿命を延ばすことが出来る。
【００４６】
また、本発明のこのＩＣソケット２０においては、スライダ部材２６の水平横方向への作動によってコンタクト２４の両方の弾性接片２７、２８を開閉するために、開いた際にかかる応力を減少でき、かつ常に安定したコンタクトの確実な開閉を維持でき、操作性に優れ、多くのコンタクトに対応することができる。また、使用されるＩＣパッケージ４０には、上記実施例１と同様にボール・グリッド・アレイタイプのＩＣパッケージを好適に用いることができる。
【００４７】
このような本発明のＩＣソケット２０は、ソケット本体２２と、このソケット本体２２に対して上下動可能に設けられたカバー部材２３とを有している。さらに、ＩＣソケット２０は、ソケット本体２２に基端部において固設されて、装着されたＩＣパッケージ３０と電気的接続を形成する複数個の挟み込み形のコンタクト２４と、ソケット本体２２内に配置された格子状または櫛歯状の仕切壁３２が形成された水平横方向に移動可能な固定板２５と、固定板２５を横方向に移動するためのスライダ部材２６とを有している。このように、固定板２５を横方向に移動するためのスライダ部材２６が、ソケット本体２２上において左右に水平方向に往復移動可能にに配置されていることが、先の実施例１のＩＣソケット１と異なっており、他は実質的に同じである。
【００４８】
従って、本発明のこの実施例２のＩＣソケット２０においては、ソケット本体２２が箱形または容器形をなしている。そして、この箱形または容器形のソケット本体２２の底部に、挟み込み形のコンタクト２４がその基端部において固定して設けられている。従って、コンタクト２４は、装着されたＩＣパッケージ４０の球状または半球状の外部端子４１と電気的接続を形成するように構成されている。また、ソケット本体２２の上部には、１つ、または複数個のコイルばねのようなばね部材３４によってカバー部材２３が上下動可能に弾性支持されている。さらに、このカバー部材２３の上下動に対応して、カム部材２９によって格子状または櫛歯状の仕切壁３２を有する作動部３０、３１が、左右に横方向に水平移動されるように連動されている。従って、このスライダ部材２６の横方向の移動によってコンタクト２４が開閉されるようになる。
【００４９】
このような本発明のＩＣソケット２０において、コンタクト２４は、一対の弾性接片２７、２８から成っている。コンタクト２４のこれら弾性接片２７、２８は、ほぼ平行に延びるように基端部においてソケット本体２２の底部に固着されている。さらに、これら基端部から弾性接片２７と弾性接片２８がほぼ平行に上方に向ってほぼ真っ直ぐに延びていて、弾性接片２７、２８間に固定板２５の格子状または櫛歯状の仕切壁３２が位置するように配設されている。さらにまた、この固定板２５の格子状または櫛歯状の仕切壁３２がコンタクト２４の弾性接片２７、２８の間に配置されており、これによって弾性接片２７、２８が隔絶されている。
【００５０】
また、コンタクト２４の一方の弾性接片２７はスライダ部材２６の作動部３０によって押される。さらに、他方の弾性接片２８はスライダ部材２６の作動部３１によって押されて固定板２５の仕切壁３２との当接部分を支点として梃子のように作動されて外方に押されて開かれる。従って、このようにしてコンタクト２４の先端部が外方に開かれて図６、図８のようなオープン状態になる。このオープン状態において、弾性接片２７、２８の先端部分の間の間隔は、十分に広がっており、ＩＣパッケージ４０の外部端子４１が挿入できるようになる。
【００５１】
このように、本発明におけるＩＣソケット２０のコンタクト２４の図５、図７のフリー状態から、図６、図８のオープン状態へのコンタクト２４の開閉状態が図示されている。すなわち、図５、図７に示されるように、コンタクト２４がフリー状態にある時に、操作部材としてのカバー部材２３を押し下げる。この押し下げの時に、カバー部材２３のカム部材２９のカム面３３にスライダ部材２６の角部が当接しているために、スライダ部材２６が水平横方向に移動してコンタクト２４の弾性接片２７、２８を開く方向にそれぞれ作動される。
【００５２】
従って、このスライダ部材２６の水平横方向の移動によってスライダ部材２６の作動部３０によりコンタクト２４の可動側の弾性接片２７が直接に押されて開かれる。これと同時に、弾性接片２８は、スライダ部材２６の作動部３１が弾性接片２８の折曲部３８を押すので、弾性接片２８の先端部が固定板２５の仕切壁３２から離れる方向に弾性変形されて、弾性接片２７、２８の先端部が互いに離れる方向に押されて開かれるようになる。
【００５３】
このようにしてコンタクト２４の弾性接片２７、２８は、固定板２５によって先端部の間が十分な間隔をもって開かれるようになり、フリー状態の間隔からオープン状態の大きな間隔に十分に広く開かれるようになる。
【００５４】
従って、上記のように構成された本発明のＩＣソケット２０においては、カバー部材２３の押し下げによって、スライダ部材２６がカム部材２９を介してコンタクト２４の開閉操作を容易に行うことができる。しかも、コンタクト２４が良好にＩＣパッケージ４０の外部端子４１と接触でき、かつオープン時のスライダ部材２６の作動部３０、３１によるコンタクト２４の引き離しを良好に行って、ＩＣパッケージ４０の取り出しや挿入を容易にすることができる。さらに、ＩＣパッケージ４０の挿入位置と抜去位置とが同位置になり、ＩＣパッケージ挿入機器側の対応が容易になってＩＣパッケージ４０の挿入性が上昇し、実装作業の効率を向上し、かつ改善して、ＩＣソケット２０の寿命を延ばすことが出来る。
【００５５】
さらにまた、本発明のＩＣソケット２０においては、１つのスライダ部材２６だけでコンタクト２４を開閉作動するために、常に安定したコンタクト開放量を維持でき、コンタクト開放量が決め易く、操作性に優れ、種々のコンタクトに広く対応することができる。さらに、このような本発明のＩＣソケット２０において、両開きタイプのコンタクト２４を開くために、コンタクト２４が開いた際にかかる応力も減少してＩＣソケット２０の寿命が延びるようになる。
【００５６】
【発明の効果】
以上説明したように、本発明の請求項１記載のＩＣソケットは、上下動可能なカバー部材と、装着されたＩＣパッケージと電気的接続を形成する複数個の挟み込み形のコンタクトと、該コンタクトが固設されるソケット本体と、間隔を置いて前記コンタクトを保持する格子状の固定板とを有するＩＣソケットにおいて、前記コンタクトを開閉するために前記固定板に対して上下方向に移動するように協働するスライダ部材を有するので、カバー部材の押し下げで、スライダ部材の作動部によってコンタクトの開閉操作が容易にでき、しかも、コンタクトの先端部が良好にＩＣパッケージの外部端子と接触でき、かつオープン時のスライダ部材の作動部によるコンタクトの開閉を良好に行って、ＩＣパッケージの取り出しや挿入を容易にすることができるし、ＩＣパッケージの挿入位置と抜去位置とが同一位置になってＩＣパッケージ挿入機器側の対応が容易になり、ＩＣパッケージの挿入性が上昇されて実装作業の効率を向上し、かつ改善して、ＩＣソケット１の寿命を延ばすことが出来るし、スライダ部材の上下動によってコンタクトの両方の弾性接片を開閉するために、開いた際にかかる応力を減少でき、かつ常に安定したコンタクトの確実な開閉を維持でき、操作性に優れている。
【００５７】
本発明の請求項２記載のＩＣソケットは、前記コンタクトが、一対の弾性接片を有し、該弾性接片の間に前記固定板の格子状の仕切壁が配設されているので、コンタクトによりＩＣパッケージの外部端子を確実に挟み込み、また解離することができる。
【００５８】
本発明の請求項３記載のＩＣソケットは、前記カバー部材の上下動により前記スライダ部材が作動されて前記コンタクトが開閉されるので、コンタクトを確実に、かつ良好に開閉できる。
【００５９】
本発明の請求項４記載のＩＣソケットは、前記仕切壁に対して前記スライダ部材の上下方向の作動によって前記一対の弾性接片が開閉されるように形成されるので、コンタクトを確実に開閉でき、操作が容易にできる。
【００６０】
本発明の請求項５記載のＩＣソケットは、前記スライダ部材が、格子状に形成された作動部を有し、該作動部が前記コンタクトの先端部の折曲部を押圧して先端部を開くように作用されるので、コンタクトの開閉が確実に行われて、ＩＣパッケージの挿入、取り出しが容易にでき、操作性に優れている。
【００６１】
本発明の請求項６記載のＩＣソケットは、上下動可能なカバー部材と、装着されたＩＣパッケージと電気的接続を形成する複数個の挟み込み形のコンタクトと、該コンタクトが固設されるソケット本体と、間隔を置いて前記コンタクトを保持する格子状の固定板とを有するＩＣソケットにおいて、前記コンタクトを開閉するために前記固定板に対して水平方向に移動するように協働するスライダ部材を有するので、カバー部材の押し下げで、スライダ部材の作動部によってコンタクトの開閉操作が容易にでき、しかも、コンタクトの先端部が良好にＩＣパッケージの外部端子と接触でき、かつオープン時のスライダ部材の作動部によるコンタクトの開閉を良好に行って、ＩＣパッケージの取り出しや挿入を容易にすることができるし、ＩＣパッケージの挿入位置と抜去位置とが同一位置になってＩＣパッケージ挿入機器側の対応が容易になり、ＩＣパッケージの挿入性が上昇されて実装作業の効率を向上し、かつ改善して、ＩＣソケット１の寿命を延ばすことが出来るし、スライダ部材の水平方向の移動によってコンタクトの両方の弾性接片を開閉するために、開いた際にかかる応力を減少でき、常に安定したコンタクトの確実な開閉を維持することができ、操作性に優れ、多くのコンタクトに対応できる。
【００６２】
本発明の請求項７記載のＩＣソケットは、前記コンタクトが、一対の弾性接片を有し、該弾性接片の間に前記固定板の格子状の仕切壁が配設され、前記コンタクトの一方の弾性接片が前記スライダ部材の作動部によって横方向に押され、他方の弾性接片が前記スライダ部材の隣接の作動部によって押されて前記固定板の仕切壁を支点として作動されることによって両弾性接片が開閉されるので、コンタクトを確実に開閉でき、操作が容易にできる。
【００６３】
本発明の請求項８記載のＩＣソケットは、前記一対の弾性接片の先端部間に前記固定板の格子状の仕切壁が挟み込まれて配置され、前記仕切壁に対して前記スライダ部材の水平方向の作動によって前記一対の弾性接片が開閉されるように形成されるので、コンタクトを確実に開閉することができる。
【図面の簡単な説明】
【図１】本発明の電子部品用ソケットとしてのＩＣソケットの実施例１におけるソケットフリー状態または閉合状態の時のコンタクト部分の断面部分図である。
【図２】図１の本発明のＩＣソケットのソケットオープン状態の時のコンタクト部分の断面部分図である。
【図３】図１の本発明のＩＣソケットのソケットフリー状態の時の本発明のＩＣソケットにおける断面概要図である。
【図４】図２の本発明のＩＣソケットのソケットオープン状態の時の本発明のＩＣソケットにおける断面概要図である。
【図５】本発明のＩＣソケットの実施例２におけるソケットフリー状態または閉合状態の時のコンタクト部分の断面部分図である。
【図６】図５の本発明のＩＣソケットのソケットオープン状態の時のコンタクト部分の断面部分図である。
【図７】図５の本発明のＩＣソケットのソケットフリー状態の時の本発明のＩＣソケットにおける断面概要図である。
【図８】図６の本発明のＩＣソケットのソケットオープン状態の時のコンタクト部分の断面部分図である。
【図９】従来のＩＣソケットのソケットオープン状態の時のコンタクト部分の断面部分図である。
【図１０】図９の従来のＩＣソケットのソケットフリー状態または閉合状態の時のコンタクト部分の断面部分図である。
【符号の説明】
１　　　ＩＣソケット
２　　　ソケット本体
３　　　カバー部材
４　　　コンタクト
５　　　固定板
６　　　スライダ部材
７　　　弾性接片
８　　　弾性接片
９　　　折曲部
１０　　ＩＣパッケージ
１１　　外部端子
１２　　仕切壁
１３　　折曲部
１４　　ばね部材
１５　　作動部
１６　　ばね部材
２０　　ＩＣソケット
２２　　ソケット本体
２３　　カバー部材
２４　　コンタクト
２５　　固定板
２６　　スライダ部材
２７　　弾性接片
２８　　弾性接片
２９　　カム部材
３０　　作動部
３１　　作動部
３２　　仕切壁
３３　　カム面
３４　　ばね部材
３５　　作動部
３６　　ばね部材
３７　　折曲部
３８　　折曲部
４０　　ＩＣパッケージ
４１　　外部端子
【図１】
2004103377.tif 000003
【図２】
2004103377.tif 000004
【図３】
2004103377.tif 000005
【図４】
2004103377.tif 000006
【図５】
2004103377.tif 000007
【図６】
2004103377.tif 000008
【図７】
2004103377.tif 000009
【図８】
2004103377.tif 000010
【図９】
2004103377.tif 000011
【図１０】
2004103377.tif 000012